(57)【特許請求の範囲】
【請求項１】
交換機が内蔵するハードウェア時計を校正するための時刻信号を受信し、該時刻信号に基づいて音声断片を編集して対応する交換機に時刻音声信号を供給する時刻音声信号供給装置を有し、上記時刻音声信号に基づいて上記交換機から音声による現在時刻の時報案内サービスを提供する時報案内サービスシステムにおいて、
上記時刻音声信号供給装置には、収容するユーザ回線に選択的に接続可能で、上記交換機からサービスされる時報音声信号を録音再生する録音再生手段および上記ユーザ回線の接続を制御する発信制御手段を有する試験用音声信号送出部を設け、
上記時刻音声信号供給装置に電話網を介して接続される遠隔保守運用端末には、上記試験用音声信号送出部から送出される音声信号を受信する試験用音声信号受信部を設け、
上記遠隔保守運用端末と上記時刻音声信号供給装置とを電話網、上記交換機および上記ユーザ回線を介して接続して、上記遠隔保守運用端末から上記時刻音声信号供給装置に試験指示を与えた後、上記ユーザ回線を一旦開放してから上記試験用音声信号送出部を上記発信制御手段により上記ユーザ回線を介して上記交換機の時報案内サービス用の所定番号に接続して、サービスされた時報音声信号を上記録音再生手段に所定時間録音し、その後、上記ユーザ回線を再び開放してから上記試験用音声信号送出部を上記発信制御手段により上記ユーザ回線、上記交換機および電話網を介して上記遠隔保守運用端末に接続して、上記録音再生手段から先に録音した時報音声信号を再生して送出し、この時報音声信号を上記遠隔保守運用端末の上記試験用音声信号受信部で受信して、上記交換機から提供される時報案内サービスの音声出力を確認試験するようにしたことを特徴とする時報案内サービスシステムにおける音声出力確認試験方式。
【請求項２】
上記試験用音声信号送出部には、さらに上記時刻音声信号供給装置が上記交換機に供給している時刻音声信号の送出手段を設け、
上記録音再生手段から先に録音した時報音声信号を再生して送出する前および／または送出した後に、上記送出手段から上記時刻音声信号を送出して、上記遠隔保守運用端末の上記試験用音声信号受信部で受信するようにしたことを特徴とする請求項１に記載の時報案内サービスシステムにおける音声出力確認試験方式。
【請求項３】
交換機が内蔵するハードウェア時計を校正するための時刻信号を受信し、該時刻信号に基づいて音声断片を編集して対応する交換機に時刻音声信号を供給する時刻音声信号供給装置を有し、上記時刻音声信号に基づいて上記交換機から音声による現在時刻の時報案内サービスを提供する時報案内サービスシステムにおいて、
上記時刻音声信号供給装置には、第１のユーザ回線を収容する遠隔保守運用端末インタフェース部と、第２のユーザ回線を収容する試験用音声信号送出部とを設けると共に、上記遠隔保守運用端末インタフェース部には上記第２のユーザ回線と上記第１のユーザ回線とを選択的に接続する転送手段を設け、上記試験用音声信号送出部には上記第２のユーザ回線を上記交換機の時報案内サービス用の所定番号に選択的に接続する発信制御手段を設け、
上記遠隔保守運用端末には、上記試験用音声信号送出部、上記遠隔保守運用端末インタフェース部経由で送出される音声信号を受信する試験用音声信号受信部を設け、
上記遠隔保守運用端末と上記遠隔保守運用端末インタフェース部とを電話網、上記交換機および上記第１のユーザ回線を介して接続して、上記遠隔保守運用端末から上記時刻音声信号供給装置に試験指示を与えることにより、上記発信制御手段により上記第２のユーザ回線を上記交換機の時報案内サービス用の所定番号に接続すると共に、上記転送手段により上記第２のユーザ回線と上記第１のユーザ回線とを接続して、上記交換機からサービスされた時報音声信号を、上記第２のユーザ回線、上記試験用音声信号送出部、上記遠隔保守運用端末インタフェース部、上記第１のユーザ回線、上記交換機および電話網を介して上記遠隔保守運用端末に転送し、この転送された時報音声信号を上記遠隔保守運用端末において上記試験用音声信号受信部で受信して、上記交換機から提供される時報案内サービスの音声出力を確認試験するようにしたことを特徴とする時報案内サービスシステムにおける音声出力確認試験方式。
【発明の詳細な説明】
【０００１】
【発明の属する技術分野】
本発明は、交換機が時報案内サービスを提供するための時報案内サービスシステムにおける音声出力確認試験方式に関するものである。
【０００２】
【従来の技術】
現在、電話網におけるユーザへのサービスとして、例えば天気予報サービスでは、市外接続を行うことで、他の地域の天気予報サービスを受けることができるようになっているが、時報案内サービスは、日本国内においては時差のない標準時刻で全国統一されていることから、ユーザを収容している交換機にて提供されている。
【０００３】
図８は、ユーザ収容エリアにおいて時報案内サービスを行うシステムの一例を示すもので、交換機ビル５０内において、時刻音声信号をトーキ増幅器５１およびトーキトランク５２を経て交換機５３の所定の収容位置に接続し、交換機５３が収容するユーザ回線に接続されたユーザ端末５４あるいはビル内端末５５から所定の電話番号、例えばＮＴＴ回線では「１１７」をダイヤルすることで、そのダイヤルした端末に時報案内サービスを提供するようにしている。
【０００４】
このような時報案内サービスシステムでは、サービス向上を図るため、交換機が正しく時報案内サービスを提供しているか否かを確認試験する必要がある。
【０００５】
そこで、従来は、保守者が試験対象となる交換機５３に収容されているユーザ端末５４あるいはビル内端末５５から「１１７」をダイヤルして確認試験を行なったり、あるいは図８に示すように確認試験対象となる交換機５３のユーザ回線に接続して試験用のトランク５６を設け、このトランク５６と保守業務拠点６０に設けたトランク６１とを搬送回線等の試験線６２により接続して、保守業務拠点６０内の保守端末６３から「１１７」をダイヤルして確認試験を行なうようにしている。
【０００６】
【発明が解決しようとする課題】
しかしながら、前者のように試験対象となる交換機５３に収容されているユーザ端末５４あるいはビル内端末５５を用いて確認試験を行なう場合には、保守者が試験対象となる交換機５３のユーザ収容エリア、あるいは交換機ビル５０に出向かなければならないため、移動時間を要し、迅速に試験できない場合がある。
【０００７】
これに対し、後者のように保守業務拠点６０から試験を行なう場合には、迅速な試験が可能であるが、この場合には、交換機ビル５０内に試験用のトランク５６を設け、このトランク５６と保守業務拠点６０内のトランク６１とを試験線６２を介して接続する必要があるため、設備費が嵩むことが懸念される。
【０００８】
したがって、かかる点に鑑みてなされた本発明の目的は、時報案内サービスの音声出力を安価な構成で迅速に確認試験できる時報案内サービスシステムにおける音声出力確認試験方式を提供することにある。
【０００９】
【課題を解決するための手段】
上記目的を達成する請求項１に係る時報案内サービスシステムにおける音声出力確認試験方式の発明は、交換機が内蔵するハードウェア時計を校正するための時刻信号を受信し、該時刻信号に基づいて音声断片を編集して対応する交換機に時刻音声信号を供給する時刻音声信号供給装置を有し、上記時刻音声信号に基づいて上記交換機から音声による現在時刻の時報案内サービスを提供する時報案内サービスシステムにおいて、
上記時刻音声信号供給装置には、収容するユーザ回線に選択的に接続可能で、上記交換機からサービスされる時報音声信号を録音再生する録音再生手段および上記ユーザ回線の接続を制御する発信制御手段を有する試験用音声信号送出部を設け、
上記時刻音声信号供給装置に電話網を介して接続される遠隔保守運用端末には、上記試験用音声信号送出部から送出される音声信号を受信する試験用音声信号受信部を設け、
上記遠隔保守運用端末と上記時刻音声信号供給装置とを電話網、上記交換機および上記ユーザ回線を介して接続して、上記遠隔保守運用端末から上記時刻音声信号供給装置に試験指示を与えた後、上記ユーザ回線を一旦開放してから上記試験用音声信号送出部を上記発信制御手段により上記ユーザ回線を介して上記交換機の時報案内サービス用の所定番号に接続して、サービスされた時報音声信号を上記録音再生手段に所定時間録音し、その後、上記ユーザ回線を再び開放してから上記試験用音声信号送出部を上記発信制御手段により上記ユーザ回線、上記交換機および電話網を介して上記遠隔保守運用端末に接続して、上記録音再生手段から先に録音した時報音声信号を再生して送出し、この時報音声信号を上記遠隔保守運用端末の上記試験用音声信号受信部で受信して、上記交換機から提供される時報案内サービスの音声出力を確認試験するようにしたことを特徴とするものである。
【００１０】
請求項２に係る発明は、請求項１に記載の時報案内サービスシステムにおける音声出力確認試験方式において、上記試験用音声信号送出部には、さらに上記時刻音声信号供給装置が上記交換機に供給している時刻音声信号の送出手段を設け、
上記録音再生手段から先に録音した時報音声信号を再生して送出する前および／または送出した後に、上記送出手段から上記時刻音声信号を送出して、上記遠隔保守運用端末の上記試験用音声信号受信部で受信するようにしたことを特徴とするものである。
【００１１】
請求項３に係る時報案内サービスシステムにおける音声出力確認試験方式の発明は、交換機が内蔵するハードウェア時計を校正するための時刻信号を受信し、該時刻信号に基づいて音声断片を編集して対応する交換機に時刻音声信号を供給する時刻音声信号供給装置を有し、上記時刻音声信号に基づいて上記交換機から音声による現在時刻の時報案内サービスを提供する時報案内サービスシステムにおいて、
上記時刻音声信号供給装置には、第１のユーザ回線を収容する遠隔保守運用端末インタフェース部と、第２のユーザ回線を収容する試験用音声信号送出部とを設けると共に、上記遠隔保守運用端末インタフェース部には上記第２のユーザ回線と上記第１のユーザ回線とを選択的に接続する転送手段を設け、上記試験用音声信号送出部には上記第２のユーザ回線を上記交換機の時報案内サービス用の所定番号に選択的に接続する発信制御手段を設け、
上記遠隔保守運用端末には、上記試験用音声信号送出部、上記遠隔保守運用端末インタフェース部経由で送出される音声信号を受信する試験用音声信号受信部を設け、
上記遠隔保守運用端末と上記遠隔保守運用端末インタフェース部とを電話網、上記交換機および上記第１のユーザ回線を介して接続して、上記遠隔保守運用端末から上記時刻音声信号供給装置に試験指示を与えることにより、上記発信制御手段により上記第２のユーザ回線を上記交換機の時報案内サービス用の所定番号に接続すると共に、上記転送手段により上記第２のユーザ回線と上記第１のユーザ回線とを接続して、上記交換機からサービスされた時報音声信号を、上記第２のユーザ回線、上記試験用音声信号送出部、上記遠隔保守運用端末インタフェース部、上記第１のユーザ回線、上記交換機および電話網を介して上記遠隔保守運用端末に転送し、この転送された時報音声信号を上記遠隔保守運用端末において上記試験用音声信号受信部で受信して、上記交換機から提供される時報案内サービスの音声出力を確認試験するようにしたことを特徴とするものである。
【００１２】
【発明の実施の形態】
以下、本発明による時報案内サービスシステムにおける音声出力確認試験方式の実施の形態について、図１〜図７を参照して説明する。
【００１３】
（第１実施の形態）
図１〜図５は第１実施の形態を示すもので、図１は全体の概略構成図、図２は図１に示す時刻音声信号供給装置の要部の構成を示すブロック図、図３は図２に示す試験用音声信号送出部の要部の構成を示すブロック図、図４は図１に示す遠隔保守運用端末の要部の構成を示すブロック図、図５は図４に示す試験用音声信号受信部の要部の構成を示すブロック図である。
【００１４】
図１において、マスタ時刻装置１は、標準電波やテレホンＪＪＹ等の外部時刻ソースから標準時刻情報を受信し、その受信した標準時刻情報を電話網２を介して配下の交換機ビル３に設置されている交換機４を経てスレーブ時刻装置５に定期的に配信している。スレーブ時刻装置５では、受信した標準時刻情報に基づいて時間パルスおよび１秒毎の時刻データを生成し、それらを対応する交換機４に供給して、交換機４において内蔵するハードウェア時計を定期的に校正するようにしている。
【００１５】
スレーブ時刻装置５から送出される時刻データは、交換機４と対応する時刻音声信号供給装置６にも供給され、ここで受信した時刻データと内蔵する時計の時刻データとを照合して内蔵時計の時刻を校正し、その内蔵時計の時刻に基づいて当該時刻音声信号供給装置６が内蔵している音声断片を編集して時刻音声信号を生成し、その時刻音声信号を対応する交換機４の時報案内サービス装置（図示せず）に供給して、交換機４が収容するユーザ電話機７が所定の電話番号、例えばＮＴＴ回線では「１１７」をダイヤルすることにより、時刻音声信号供給装置６から交換機４を介して当該ユーザ電話機７に時刻音声信号を送信している。
【００１６】
また、時刻音声信号供給装置６は、定期的および必要に応じて遠隔保守運用端末８と電話網２および交換機４を介して通信するようになっている。
【００１７】
時刻音声信号供給装置６は、図２に示すように、装置全体の制御を行なう汎用マイクロプロセッサを有する制御部１１と、ファームウェア、データ等を格納するＲＯＭ、ＲＡＭ、ＥＥＰＲＯＭ等からなるメモリ部１２と、対応するスレーブ時刻装置５からの時刻データをマスタ時刻として毎秒照合して校正する時計機能を有する内蔵時計部１３と、各音声断片を編集して送出する時刻音声信号を生成すると共に、秒音、予報音、時報音をミキシングする音声編集部１４と、音声編集部１４の出力を適当なレベルに増幅して対応する交換機４の時報案内サービス装置に供給する増幅部１５と、対応するスレーブ時刻装置５からの時刻データを受信するためのインタフェースを有するスレーブ時刻装置インタフェース部１６と、交換機４のユーザ回線１７を介してユーザ回路部に接続され、遠隔保守運用端末８と通信を行なうための電話網インタフェースを有する遠隔保守運用端末インタフェース部１８と、試験用音声信号送出部１９と、各部に所要の電源電圧、例えば５Ｖ／１２Ｖを供給する電源部２０とを有して構成されている。
【００１８】
試験用音声信号送出部１９は、図３に示すように、発信制御部２１、録音再生部２２、リレー２３、およびリレー２４を有している。発信制御部２１は、リレー２３のリレースイッチ２３ａにより遠隔保守運用端末インタフェース部１８と切り替えて交換機４のユーザ回路部に接続すると共に、リレー２４のリレースイッチ２４ａを介して録音再生部２２または増幅部１５の出力端子に選択的に接続する。なお、リレースイッチ２３ａは、リレー２３のオフ状態でユーザ回線１７を遠隔保守運用端末インタフェース部１８に接続し、リレースイッチ２４ａは、リレー２４のオフ状態で録音再生部２２を発信制御部２１に接続するようにする。
【００１９】
一方、遠隔保守運用端末８は、図４に示すように、モデム部２５、試験用音声信号受信部２６、受信した音声信号を音声に変換するヘッドホン２７、モデム部２５および試験用音声信号受信部２６の動作を制御する制御部２８とを有しており、試験用音声信号受信部２６を当該遠隔保守運用端末８を収容する交換機のユーザ回線２９を介してユーザ回路部に接続する。
【００２０】
試験用音声信号受信部２６は、図５に示すように、受信制御部３１およびリレー３２を有し、受信制御部３１をリレー３２のリレースイッチ３２ａによりモデム部２５と切り替えて、交換機のユーザ回線２９を介してユーザ回路部に接続する。なお、リレースイッチ３２ａは、リレー３２のオフ状態でユーザ回線２９をモデム部２５に接続するようにする。
【００２１】
次に、本実施の形態による時報案内サービスの音声出力確認試験動作について説明する。先ず、遠隔保守運用端末８からモデム部２５およびリレースイッチ３２ａを介して確認試験対象の時刻音声信号供給装置６をダイヤルして、遠隔保守運用端末８と、確認試験対象の時刻音声信号供給装置６の遠隔保守運用端末インタフェース部１８とを、電話網２、交換機４、ユーザ回線１７およびリレースイッチ２３ａを介して接続し、セキュリティを確認して遠隔保守運用端末８から時刻音声信号供給装置６へ音声出力確認コマンドを送出する。
【００２２】
その後、時刻音声信号供給装置６において音声出力確認コマンドを受信して解析したら、ユーザ回線１７の電話網２への接続を開放してからリレー２３をオンにして、発信制御部２１から「１１７」をダイヤルしてユーザ回線１７を交換機４の時報案内サービス装置に接続し、その時報案内サービスの音声信号をユーザ回線１７、リレースイッチ２３ａおよびリレースイッチ２４ａを経て録音再生部２２に録音する。
【００２３】
録音再生部２２において、時報案内サービスの音声信号を一定時間録音したら、ユーザ回線１７の「１１７」への接続を開放した後、発信制御部２１からユーザ回線１７を介して先の遠隔保守運用端末８の電話番号をダイヤルして、時刻音声信号供給装置６と遠隔保守運用端末８とをユーザ回線１７、交換機４および電話網２を介して接続し、セキュリティを確認して時刻音声信号供給装置６から音声出力確認試験結果報告のメッセージを送出すると共に、所定時間後に先に録音再生部２２で録音した時報案内サービスの音声信号を再生して送出する。その後、時報案内サービスの音声信号を一定時間再生して送出したら、リレー２４をオンにして、時刻音声信号供給装置６の増幅部１５から交換機４に現在送出している時刻音声信号をリレースイッチ２４ａおよびリレースイッチ２３ａを経て遠隔保守運用端末８に送出する。
【００２４】
一方、遠隔保守運用端末８では、時刻音声信号供給装置６からの音声出力確認試験結果報告のメッセージを受信したら、リレー３２をオンにしてユーザ回線２９を受信制御部３１に接続し、その状態でその後送信されてくる時報案内サービスの音声信号および時刻音声信号を試験用音声信号受信部２６において受信制御部３１を経てヘッドホン２７で再生して保守者により聴取し、これにより確認試験対象の交換機４が正しく時報案内サービスを提供しているか否かをチェックする。
【００２５】
このように、本実施の形態では、一本のユーザ回線１７を収容する時刻音声信号供給装置６に、時報音声信号の録音再生部２２、交換機４に現在供給している時刻音声信号の送出手段（増幅部１５の出力端子に接続されているリレースイッチ２４ａを含む）、発信制御部２１を有する試験用音声信号送出部１９を設け、遠隔保守運用端末８には試験用音声信号送出部１９から送出される音声信号を受信する試験用音声信号受信部２６を設け、遠隔保守運用端末８と時刻音声信号供給装置６とを電話網２、交換機４およびユーザ回線１７を介して接続して、遠隔保守運用端末８から時刻音声信号供給装置６に試験指示を与えることにより、ユーザ回線１７を一旦開放してから発信制御部２１により「１１７」をダイヤルして、サービスされた時報音声信号を録音再生部２２に所定時間録音し、その後、ユーザ回線１７を再び開放してから発信制御部２１によりユーザ回線１７を交換機４および電話網２を介して遠隔保守運用端末８に接続して、録音再生部２２から先に録音した時報音声信号を再生して送出すると共に、その時報音声信号の所定時間の送出後に、時刻音声信号供給装置６が交換機４に現在供給している時刻音声信号を送出し、これらの時報音声信号および時刻音声信号を遠隔保守運用端末８の試験用音声信号受信部２６で受信して、交換機４から提供される時報案内サービスの音声出力を確認試験するようにしたので、安価な構成で時報案内サービスの音声出力を迅速に確認試験することができる。
【００２６】
（第２実施の形態）
図６および図７は第２実施の形態を示すもので、図６は時刻音声信号供給装置の要部の構成を示すブロック図、図７は図６に示す遠隔保守運用端末インタフェース部および試験用音声信号送出部の要部の構成を示すブロックである。
【００２７】
図６に示すように、本実施の形態は、時刻音声信号供給装置６の遠隔保守運用端末インタフェース部１８に第１のユーザ回線３５を収容させると共に、試験用音声信号送出部１９に第２のユーザ回線３６を収容させたもので、その他の構成は第１実施の形態と同様である。
【００２８】
図７に示すように、遠隔保守運用端末インタフェース部１８には遠隔保守運用端末と通信を行なうための電話回線インタフェースを有する転送部３７およびリレー３８を設け、第１のユーザ回線３５をリレー３８のリレースイッチ３８ａを経て転送部３７に接続する。なお、リレースイッチ３８ａは、リレー３８のオフ状態で図示のように第１のユーザ回線３５を転送部３７に接続するようにする。
【００２９】
また、試験用音声信号送出部１９には、発信制御部４１、リレー４２、増幅器４３、および第１のユーザ回線３５と第２のユーザ回線３６との接続整合を行なう接続部４４を設け、第２のユーザ回線３６をリレー４２のリレースイッチ４２ａを経て発信制御部４１に接続すると共に、増幅器４３、接続部４４および遠隔保守運用端末インタフェース部１８のリレースイッチ３８ａを経て第１のユーザ回線３５に接続する。なお、リレースイッチ４２ａは、リレー４２のオフ状態で図示のように第２のユーザ回線３６を発信制御部４１に接続するようにする。
【００３０】
以下、本実施の形態による時報案内サービスの音声出力確認試験動作について、図１および図５をも参照しながら説明する。先ず、遠隔保守運用端末８からモデム部２５およびリレースイッチ３２ａを介して確認試験対象の時刻音声信号供給装置６をダイヤルして、遠隔保守運用端末８と、確認試験対象の時刻音声信号供給装置６の遠隔保守運用端末インタフェース部１８とを、電話網２、交換機４および第１のユーザ回線３５を介して接続し、セキュリティを確認して遠隔保守運用端末８から時刻音声信号供給装置６へ音声出力確認コマンドを送出する。
【００３１】
その後、時刻音声信号供給装置６において音声出力確認コマンドを受信して解析したら、試験用音声信号送出部１９において発信制御部４１から「１１７」をダイヤルして第２のユーザ回線３６を交換機４の時報案内サービス装置に接続し、接続が完了したらリレー４２およびリレー３８をそれぞれオンにして、交換機４から提供される時報案内サービスの音声信号を、第２のユーザ回線３６、リレースイッチ４２ａ、増幅部４３、接続部４４、およびリレースイッチ３８ａを経て第１のユーザ回線３５に接続されている遠隔保守運用端末８に転送する。
【００３２】
一方、遠隔保守運用端末８では、第１実施の形態と同様にして、時刻音声信号供給装置６からの音声出力確認試験結果報告のメッセージを受信したら、リレー３２をオンにしてユーザ回線２９を受信制御部３１に接続し、その状態でその後送信されてくる時報案内サービスの音声信号を試験用音声信号受信部２６において受信制御部３１を経てヘッドホン２７で再生して保守者により聴取し、これにより確認試験対象の交換機４が正しく時報案内サービスを提供しているか否かをチェックする。
【００３３】
このように、本実施の形態では、時刻音声信号供給装置６の遠隔保守運用端末インタフェース部１８と試験用音声信号送出部１９とに第１のユーザ回線３５および第２のユーザ回線３６をそれぞれ収容させ、遠隔保守運用端末８と遠隔保守運用端末インタフェース部１８とを第１のユーザ回線３５を介して接続した状態で、第２のユーザ回線３６を交換機４の「１１７」に接続して、その時報案内サービスの音声信号を第２のユーザ回線３６から第１のユーザ回線３５を経て既に接続されている遠隔保守運用端末８に転送して確認試験するようにしたので、第１実施の形態におけるよりも、より迅速に時報案内サービスの音声出力を確認試験することができる。
【００３４】
なお、本発明は、上記実施の形態にのみ限定されるものではなく、幾多の変形または変更が可能である。例えば、上記第１実施の形態では、遠隔保守運用端末８に対して、時刻音声信号供給装置６から録音した時報案内サービスの音声信号を再生して送出した後、時刻音声信号供給装置６が交換機４に現在供給している時刻音声信号を送出するようにしたが、時刻音声信号は時報案内サービスの音声信号の送出前に、あるいは前後の双方で送出することもできるし、このような時刻音声信号の送出を省略することもできる。
【００３５】
また、第２実施の形態において、時刻音声信号供給装置６からの時報案内サービスの音声信号の送出前、または送出後に、あるいは前後の双方で、第１実施の形態と同様に時刻音声信号供給装置６が交換機４に現在供給している時刻音声信号を送出するようにすることもできる。
【００３６】
【発明の効果】
以上のように、本発明によれば、交換機に対応する時刻音声信号供給装置に試験用音声信号送出部を設け、該時刻音声信号供給装置に電話網を介して接続される遠隔保守運用端末には試験用音声信号受信部を設ける簡単かつ安価な構成で、遠隔保守運用端末から確認試験対象の交換機に対する時報案内サービスの音声出力の確認試験を迅速に行なうことができる。
【図面の簡単な説明】
【図１】  本発明による時報案内サービスシステムにおける音声出力確認試験方式の第１実施の形態の全体の概略構成図である。
【図２】  図１に示す時刻音声信号供給装置の要部の構成を示すブロック図である。
【図３】  図２に示す試験用音声信号送出部の要部の構成を示すブロック図である。
【図４】  図１に示す遠隔保守運用端末の要部の構成を示すブロック図である。
【図５】  図４に示す試験用音声信号受信部の要部の構成を示すブロック図である。
【図６】  本発明の第２実施の形態における時刻音声信号供給装置の要部の構成を示すブロック図である。
【図７】  図６に示す遠隔保守運用端末インタフェース部および試験用音声信号送出部の要部の構成を示すブロックである。
【図８】  時報案内サービスシステムにおける従来の音声出力確認試験方式を説明するための図である。
【符号の説明】
１  マスタ時刻装置
２  電話網
３  交換機ビル
４  交換機
５  スレーブ時刻装置
６  時刻音声信号供給装置
７  ユーザ電話機
８  遠隔保守運用端末
１７  ユーザ回線
１８  遠隔保守運用端末インタフェース部
１９  試験用音声信号送出部
２１  発信制御部
２２  録音再生部
２３，２４  リレー
２５  モデム部
２６  試験用音声信号受信部
２７  ヘッドホン
２９  ユーザ回線
３１  受信制御部
３２  リレー
３５  第１のユーザ回線
３６  第２のユーザ回線
３７  転送部
３８  リレー
４１  発信制御部
４２  リレー
４３  増幅器
４４  接続部
【図１】
0003808324.tif 000002
【図２】
0003808324.tif 000003
【図３】
0003808324.tif 000004
【図４】
0003808324.tif 000005
【図５】
0003808324.tif 000006
【図６】
0003808324.tif 000007
【図７】
0003808324.tif 000008
【図８】
0003808324.tif 000009